(57)【要約】【課題】駐車場を巡回する監視員に複数車両の駐車情報を一度に確認させることを可能にする。【解決手段】撮像部が撮像した撮像画像を表示する表示部２３０を有する端末装置２００と、端末装置２００とネットワークを介して接続される駐車情報サーバとを有する駐車情報表示システムであって、駐車情報サーバは、撮像画像の領域内の駐車場の駐車場位置と、車両が駐車場に駐車できる残時間とを端末装置２００に送信する駐車情報処理部を有し、端末装置２００の、表示部２３０は、受信した駐車場位置と残時間とに基づいて、撮像画像に付加画像を重畳して表示する。【選択図】図５
2014174580.tif 000002
【特許請求の範囲】
【請求項１】
撮像部が撮像した撮像画像を表示する表示部を有する端末装置と、前記端末装置とネットワークを介して接続される駐車情報サーバと、を有する駐車情報表示システムであって、
前記駐車情報サーバは、前記撮像画像の領域内の駐車場の駐車場位置と、車両が前記駐車場に駐車できる残時間とを前記端末装置に送信する駐車情報処理部を有し、
前記端末装置の前記表示部は、受信した前記駐車場位置と前記残時間とに基づいて、前記撮像画像に付加画像を重畳して表示する、駐車情報表示システム。
【請求項２】
請求項１に記載の駐車情報表示システムにおいて、
前記表示部は、前記付加画像として、駐車違反がされている前記駐車場位置付近に駐車違反がされていることを示すメッセージを重畳して表示する、駐車情報表示システム。
【請求項３】
請求項１または２に記載の駐車情報表示システムにおいて、
前記表示部は、前記付加画像として、駐車違反がされていない前記駐車場位置付近に前記残時間を表示する、駐車情報表示システム。
【請求項４】
請求項１〜３のいずれか一項に記載の駐車情報表示システムにおいて、
前記駐車情報サーバは、駐車違反がされている前記駐車場位置から前記端末装置の現在位置までの距離が最短の前記端末装置を特定し、特定した前記端末装置へメールを送信する通知処理部をさらに有する、駐車情報表示システム。
【請求項５】
請求項４に記載の駐車情報表示システムにおいて、
前記メールには、駐車違反がされている前記駐車場位置を特定するための緯度および経度が記載されている、駐車情報表示システム。
【請求項６】
撮像部が撮像した撮像画像を表示する表示部を有する端末装置と、前記端末装置とネットワークを介して接続される駐車情報サーバと、を有する駐車情報表示システムにおける駐車情報表示方法であって、
前記駐車情報サーバの駐車情報処理部により、前記撮像画像の領域内の駐車場の駐車場位置と、車両が前記駐車場に駐車できる残時間とを前記端末装置に送信する送信ステップと、
前記端末装置の前記表示部により、受信した前記駐車場位置と前記残時間とに基づいて、前記撮像画像に付加画像を重畳して表示する表示ステップと、を有する、駐車情報表示方法。
【請求項７】
請求項６に記載の駐車情報表示方法において、
前記表示ステップは、前記端末装置の前記表示部により、前記付加画像として、駐車違反がされている前記駐車場位置付近に駐車違反がされていることを示すメッセージを重畳して表示する、駐車情報表示方法。
【請求項８】
請求項６または７に記載の駐車情報表示方法において、
前記表示ステップは、前記端末装置の前記表示部により、前記付加画像として、駐車違反がされていない前記駐車場位置付近に前記残時間を表示する、駐車情報表示方法。
【請求項９】
請求項６〜８のいずれか一項に記載の駐車情報表示方法において、
前記駐車情報サーバの通知処理部により、駐車違反がされている前記駐車場位置から前記端末装置の現在位置までの距離が最短の前記端末装置を特定し、特定した前記端末装置へメールを送信する通知ステップをさらに有する、駐車情報表示方法。
【請求項１０】
撮像部が撮像した撮像画像を表示する表示部を有する端末装置と、前記端末装置とネットワークを介して接続される駐車情報サーバとを有する駐車情報表示システムのコンピュータを機能させるための駐車情報表示プログラムであって、
前記駐車情報サーバの駐車情報処理部により、前記撮像画像の領域内の駐車場の駐車場位置と、車両が前記駐車場に駐車できる残時間とを前記端末装置に送信する送信ステップと、
前記端末装置の前記表示部により、受信した前記駐車場位置と前記残時間とに基づいて、前記撮像画像に付加画像を重畳して表示する表示ステップと、を前記コンピュータに実行させる、駐車情報表示プログラム。
【請求項１１】
請求項１０に記載の駐車情報表示プログラムにおいて、
前記表示ステップは、前記端末装置の前記表示部により、前記付加画像として、駐車違反がされている前記駐車場位置付近に駐車違反がされていることを示すメッセージを重畳して表示する、駐車情報表示プログラム。
【請求項１２】
請求項１０または１１に記載の駐車情報表示プログラムにおいて、
前記表示ステップは、前記端末装置の前記表示部により、前記付加画像として、駐車違反がされていない前記駐車場位置付近に前記残時間を表示する、駐車情報表示プログラム。
【請求項１３】
請求項１０〜１２のいずれか一項に記載の駐車情報表示プログラムにおいて、
前記駐車情報サーバの通知処理部により、駐車違反がされている前記駐車場位置から前記端末装置の現在位置までの距離が最短の前記端末装置を特定し、特定した前記端末装置へメールを送信する通知ステップを前記コンピュータに実行させる、駐車情報表示プログラム。
【発明の詳細な説明】
【技術分野】
【０００１】
本発明は、駐車情報表示システムおよび方法ならびにプログラムに関する。
【背景技術】
【０００２】
本技術分野の背景技術として、例えば、特開２０１１−６０２０６号公報（特許文献１）がある。この公報には、「定められた時間が経過した後にも車両が引き続き利用者が車両を駐車している場合は、その車両は違法駐車となり、反則の対象となる。巡回中のパーキングメーター監視員が前述の違法駐車を発見すると取り締まりの対象となる。」と記載されている。
【先行技術文献】
【特許文献】
【０００３】
【特許文献１】特開２０１１−６０２０６号公報
【発明の概要】
【発明が解決しようとする課題】
【０００４】
従来の方法では、監視員が駐車場を巡回して一つずつパーキングメーターを見ることで、駐車している車両の駐車状況を確認する手間が発生していた。
【０００５】
本発明の目的は、駐車場を巡回する監視員に複数車両の駐車情報を一度に確認させることを可能にする技術を提供することである。
【０００６】
本発明の前記ならびにその他の目的と新規な特徴は、本明細書の記述および添付図面から明らかになるであろう。
【課題を解決するための手段】
【０００７】
本願において開示される発明のうち、代表的なものの概要を簡単に説明すれば、次の通りである。
【０００８】
本発明の一実施の形態は、撮像部が撮像した撮像画像を表示する表示部を有する端末装置と、前記端末装置とネットワークを介して接続される駐車情報サーバと、を有する駐車情報表示システムであって、前記駐車情報サーバは、前記撮像画像の領域内の駐車場の駐車場位置と、車両が前記駐車場に駐車できる残時間とを前記端末装置に送信する駐車情報処理部を有する。さらに、前記端末装置の前記表示部は、受信した前記駐車場位置と前記残時間とに基づいて、前記撮像画像に付加画像を重畳して表示する。
【０００９】
また、他の実施の形態では、撮像部が撮像した撮像画像を表示する表示部を有する端末装置と、前記端末装置とネットワークを介して接続される駐車情報サーバと、を有する駐車情報表示システムにおける駐車情報表示方法であって、前記駐車情報サーバの駐車情報処理部により、前記撮像画像の領域内の駐車場の駐車場位置と、車両が前記駐車場に駐車できる残時間とを前記端末装置に送信する送信ステップを有する。さらに、前記端末装置の前記表示部により、受信した前記駐車場位置と前記残時間とに基づいて、前記撮像画像に付加画像を重畳して表示する表示ステップを有する。
【００１０】
また、他の実施の形態では、撮像部が撮像した撮像画像を表示する表示部を有する端末装置と、前記端末装置とネットワークを介して接続される駐車情報サーバと、を有する駐車情報表示システムのコンピュータを機能させるための駐車情報表示プログラムであって、前記駐車情報サーバの駐車情報処理部により、前記撮像画像の領域内の駐車場の駐車場位置と、車両が前記駐車場に駐車できる残時間とを前記端末装置に送信する送信ステップを有する。さらに、前記端末装置の前記表示部により、受信した前記駐車場位置と前記残時間とに基づいて、前記撮像画像に付加画像を重畳して表示する表示ステップと、を前記コンピュータに実行させる。
【発明の効果】
【００１１】
本願において開示される発明のうち、代表的なものによって得られる効果を簡単に説明すれば以下のとおりである。
【００１２】
本発明の一実施の形態によれば、駐車場を巡回する監視員に複数車両の駐車情報を一度に確認させることが可能になる。
【図面の簡単な説明】
【００１３】
【図１】本発明の一実施の形態における、駐車情報表示システムの構成例の概要を示す図である。
【図２】図１の駐車情報表示システムにおいて、駐車情報データベースが記憶する監視情報テーブルの構成例を示す図である。
【図３】図１の駐車情報表示システムにおいて、駐車情報データベースが記憶する駐車場情報テーブルの構成例を示す図である。
【図４】図１の駐車情報表示システムにおいて、駐車情報データベースが記憶する監視員情報テーブルの構成例を示す図である。
【図５】図１の駐車情報表示システムにおいて、端末装置の表示部に表示される重畳表示画面の例を示す図である。
【図６】図１の駐車情報表示システムにおいて、駐車開始時刻記憶処理の処理フローを示す図である。
【図７】図１の駐車情報表示システムにおいて、駐車終了時刻記憶処理の処理フローを示す図である。
【図８】図１の駐車情報表示システムにおいて、重畳表示処理の処理フローを示す図である。
【図９】図１の駐車情報表示システムにおいて、通知処理の処理フローを示す図である。
【図１０】図１の駐車情報表示システムにおいて、端末装置の表示部に表示される表示画面の例を示す図である。
【図１１】図１の駐車情報表示システムにおいて、端末装置の表示部に表示される表示画面の他の例を示す図である。
【発明を実施するための形態】
【００１４】
以下、本発明の実施の形態を図面に基づいて詳細に説明する。なお、実施の形態を説明するための全図において、同一部には原則として同一の符号を付し、その繰り返しの説明は省略する。
【００１５】
＜システム構成＞
図１は、本発明の一実施の形態における、駐車情報表示システムの構成例の概要を示す図である。図１において、駐車情報表示システムは例えば、パーキングメーター７００と、端末装置２００と、これらパーキングメーター７００、端末装置２００と、ネットワークを介して接続される駐車情報サーバ１００とを有する。
【００１６】
また、端末装置２００、パーキングメーター７００、駐車情報サーバ１００は、所定のハードウェアおよびソフトウェアにより実装される。例えば、端末装置２００、パーキングメーター７００、駐車情報サーバ１００は、プロセッサやメモリなどを有し、プロセッサによるメモリ上のプログラムの実行により、駐車情報表示システムとして、端末装置２００、パーキングメーター７００、駐車情報サーバ１００のコンピュータを機能させる。
【００１７】
駐車情報サーバ１００は、駐車情報処理部１７０、通知処理部１８０、駐車情報データベース５００を有する。
【００１８】
また、端末装置２００は、表示部２３０、撮像部２１０、位置情報取得部２２０、方位センサ２４０を有する。
【００１９】
位置情報取得部２２０は、例えば、複数のＧＰＳ（Ｇｌｏｂａｌ  Ｐｏｓｉｔｉｏｎｉｎｇ  Ｓｙｓｔｅｍ）衛星から受信する情報に基づいて算出される現在位置（緯度および経度）を取得する。
【００２０】
方位センサ２４０は、撮像部２１０の撮像機能が動作している間の端末装置２００の姿勢および角度を取得する。
【００２１】
駐車情報処理部１７０は、端末装置２００から受信した現在位置、角度、姿勢、撮像焦点距離に基づいて撮像部２１０が撮像した撮像画像の領域を特定する。また、駐車情報処理部１７０は、特定した撮像画像の領域内に、駐車場が存在するか否かを判定する。
【００２２】
通知処理部１８０は、駐車違反がされている駐車場位置から端末装置２００の現在位置までの距離が最短の端末装置２００を特定し、特定した端末装置２００へメールを送信する。
【００２３】
表示部２３０は、撮像部２１０が撮像した撮像画像を表示する。また、表示部２３０は、撮像画像を表示するとともに、撮像画像に付加画像を重畳して表示する。さらに、表示部２３０は、駐車情報サーバ１００から受信したメールを表示する。
【００２４】
パーキングメーター７００は、駐車場の付近に設けられる。パーキングメーター７００は、車両が駐車された後、時間の測定を開始し、時間の測定は所定時間が経過するまで行われる。
【００２５】
＜監視情報テーブル＞
図２は、図１の駐車情報表示システムにおいて、駐車情報データベース５００が記憶する監視情報テーブル５１０の構成例を示す図である。監視情報テーブル５１０は、[駐車場ＩＤ]、[駐車開始時刻]、[駐車終了時刻]などのデータ項目を含む。[駐車場ＩＤ]は、駐車場を識別するための記号を示す。[駐車開始時刻]は、駐車場に駐車を開始した時刻を示す。[駐車終了時刻]は、駐車場に駐車を終了した時刻を示す。
【００２６】
＜駐車場情報テーブル＞
図３は、図１の駐車情報表示システムにおいて、駐車情報データベース５００が記憶する駐車場情報テーブル５２０の構成例を示す図である。駐車場情報テーブル５２０は、[駐車場ＩＤ]、[駐車場緯度]、[駐車場経度]、[駐車有無]などのデータ項目を含む。[駐車場ＩＤ]は、駐車場を識別するための記号を示す。[駐車場緯度]は、駐車場位置を特定するための緯度を示す。[駐車場経度]は、駐車場位置を特定するための経度を示す。[駐車有無]は、駐車場に車両が駐車中か否かを示し、「駐車有」は、駐車場に車両が駐車中であることを示し、「駐車無」は、駐車場に車両が駐車中ではないことを示す。
【００２７】
＜監視員情報テーブル＞
図４は、図１の駐車情報表示システムにおいて、駐車情報データベース５００が記憶する監視員情報テーブル５３０の構成例を示す図である。監視員情報テーブル５３０は、[監視員ＩＤ]、[端末装置ＩＤ]、[メールアドレス]などのデータ項目を含む。[監視員ＩＤ]は、監視員を識別するための記号を示す。[端末装置ＩＤ]は、端末装置２００を識別するための記号を示す。[メールアドレス]は、監視員のメールアドレスを示す。
【００２８】
＜重畳表示画面＞
図５は、図１の駐車情報表示システムにおいて、端末装置２００の表示部２３０に表示される重畳表示画面の例を示す。図５にて、表示部２３０は、撮像部２１０が撮像した撮像画像を表示するとともに、撮像画像の駐車場位置付近に付加情報である吹き出しを重畳表示する。この吹き出しには、駐車場位置に駐車している車両が駐車違反をしていることを示す「駐車違反」などのメッセージが表示される。また、吹き出しには、車両が駐車場位置に駐車できる残時間が表示される。
【００２９】
＜駐車開始時刻記憶処理＞
図６は、図１の駐車情報表示システムにおいて、駐車開始時刻記憶処理の処理フローを示す。
【００３０】
まず、Ｓ６０１にて、パーキングメーター７００は、車両が駐車場に駐車されたこととパーキングメーター７００に手数料が投入されたこととを検出すると、車両が駐車した駐車場の駐車場ＩＤと駐車開始時刻とを駐車情報サーバ１００に送信する。
【００３１】
次に、Ｓ６０２にて、駐車情報サーバ１００の駐車情報処理部１７０は、パーキングメーター７００から受信した駐車場ＩＤと駐車開始時刻とを対応付けて監視情報テーブル５１０に記憶する。さらに、駐車情報処理部１７０は、受信した駐車場ＩＤに基づいて駐車場情報テーブル５２０の駐車有無のデータ項目を、「駐車有」へ更新する。
【００３２】
＜駐車終了時刻記憶処理＞
図７は、図１の駐車情報表示システムにおいて、駐車終了時刻記憶処理の処理フローを示す。
【００３３】
まず、Ｓ７０１にて、パーキングメーター７００は、車両が駐車場から離れたことを検出すると、車両が離れた駐車場の駐車場ＩＤと駐車終了時刻とを駐車情報サーバ１００に送信する。
【００３４】
次に、Ｓ７０２にて、駐車情報サーバ１００の駐車情報処理部１７０は、パーキングメーター７００から受信した駐車場ＩＤと駐車終了時刻とを対応付けて監視情報テーブル５１０に記憶する。さらに、駐車情報処理部１７０は、受信した駐車場ＩＤに基づいて駐車場情報テーブル５２０の駐車有無のデータ項目を、「駐車無」へ更新する。
【００３５】
＜重畳表示処理＞
図８は、図１の駐車情報表示システムにおいて、重畳表示処理の処理フローを示す。
【００３６】
まず、Ｓ８０１にて、端末装置２００は、撮像部２１０を起動する。
【００３７】
次に、Ｓ８０２にて、端末装置２００は、端末装置２００の現在位置、角度、姿勢、撮像部２１０の撮像焦点距離を、駐車情報サーバ１００に送信する。
【００３８】
次に、Ｓ８０３にて、駐車情報サーバ１００の駐車情報処理部１７０は、端末装置２００から受信した現在位置、角度、姿勢、撮像焦点距離に基づいて撮像部２１０が撮像した撮像画像の領域を特定する。
【００３９】
次に、Ｓ８０４にて、駐車情報処理部１７０は、駐車場情報テーブル５２０から駐車場緯度および駐車場経度を取得する。
【００４０】
次に、Ｓ８０５にて、駐車情報処理部１７０は、Ｓ８０３で特定した撮像画像の領域内に、駐車場位置（この駐車場位置は、Ｓ８０４で駐車場情報テーブル５２０から取得した駐車場緯度および駐車場経度から特定される）があるか否かを判定する。駐車情報処理部１７０が、駐車場位置が撮像画像の領域内にないと判定する場合（Ｓ８０５−Ｎｏ）、Ｓ８０２に進む。一方、駐車情報処理部１７０が、駐車場位置が撮像画像の領域内にあると判定する場合（Ｓ８０５−Ｙｅｓ）、Ｓ８０６に進む。
【００４１】
次に、Ｓ８０６にて、駐車情報処理部１７０は、撮像画像の領域内にある駐車場位置であって、かつ「駐車有」である駐車場の駐車場ＩＤを駐車場情報テーブル５２０からすべて取得する。
【００４２】
次に、Ｓ８０７にて、駐車情報処理部１７０は、Ｓ８０６で取得した駐車場ＩＤをキーに監視情報テーブル５１０を検索し、対応する駐車開始時刻を監視情報テーブル５１０からすべて取得する。
【００４３】
次に、Ｓ８０８にて、駐車情報処理部１７０は、Ｓ８０６で取得した駐車場ＩＤに対応する駐車場位置ごとの残時間を算出する。この残時間は、車両が駐車場に駐車できる駐車可能時間（例えば、６０分）から、駐車開始時刻から現在の時刻までの経過時間を除算することで算出できる。
【００４４】
次に、Ｓ８０９にて、駐車情報サーバ１００は、Ｓ８０８で算出した駐車場位置ごとの残時間を、駐車場位置と対応付けて端末装置２００に送信する。
【００４５】
次に、Ｓ８１０にて、端末装置２００の表示部２３０は、取得した駐車場位置と残時間とに基づいて、駐車違反がされている駐車場位置を抽出する。より詳細には、表示部２３０は、残時間が「０」である駐車場位置を抽出する。
【００４６】
次に、Ｓ８１１にて、表示部２３０は、撮像部２１０が撮像した撮像画像を表示するとともに、受信した駐車場位置と残時間とに基づいて、撮像画像に付加画像を重畳して表示する。より詳細には、表示部２３０は、付加画像として、Ｓ８１０にて抽出された駐車違反がされている駐車場位置付近に駐車違反がされていることを示すメッセージを重畳して表示する。また、表示部２３０は、付加画像として、駐車違反がされていない駐車場位置付近に残時間を重畳して表示する。
【００４７】
＜通知処理＞
図９は、図１の駐車情報表示システムにおいて、通知処理の処理フローを示す。なお、駐車情報サーバ１００は、通知処理を所定時間ごとに定期的に行う。
【００４８】
まず、Ｓ９０１にて、駐車情報サーバ１００の通知処理部１８０は、監視情報テーブル５１０が記憶する情報に基づいて、残時間が５分以内の駐車場ＩＤを特定し、取得する。
【００４９】
次に、Ｓ９０２にて、通知処理部１８０は、Ｓ９０１で特定された駐車場ＩＤを取得できたか否かを判定する。そして、通知処理部１８０が駐車場ＩＤを取得できたと判定する場合（Ｓ９０２−Ｙｅｓ）、Ｓ９０３へ進む。一方、通知処理部１８０が駐車場ＩＤを取得できないと判定する場合は（Ｓ９０２−Ｎｏ）、処理を終了する。
【００５０】
次に、Ｓ９０３にて、通知処理部１８０は、取得した駐車場ＩＤをキーに駐車場情報テーブル５２０を検索し、対応する駐車場緯度および駐車場経度を取得する。
【００５１】
次に、Ｓ９０４にて、通知処理部１８０は、各監視員が携帯する端末装置２００へ、端末装置２００の端末装置ＩＤおよび現在位置の送信をブロードキャストで要求する。
【００５２】
次に、Ｓ９０５にて、通知処理部１８０は、端末装置２００から、いずれかの端末装置２００の端末装置ＩＤおよび現在位置を受信できたか否かを判定する。通知処理部１８０が、いずれかの端末装置２００から端末装置ＩＤおよび現在位置を受信できたと判定する場合（Ｓ９０５−Ｙｅｓ）、Ｓ９０６へ進む。一方、通知処理部１８０が、いずれかの端末装置２００からも端末装置ＩＤおよび現在位置を受信できなかったと判定する場合（Ｓ９０５−Ｎｏ）、処理を終了する。
【００５３】
次に、Ｓ９０６にて、通知処理部１８０は、Ｓ９０３で取得した駐車場緯度および駐車場経度から特定される駐車場位置から各端末装置２００の現在位置までの距離を、端末装置ＩＤごとに算出する。
【００５４】
次に、Ｓ９０７にて、通知処理部１８０は、Ｓ９０６で算出された各距離が最短の端末装置２００の端末装置ＩＤをキーに監視員情報テーブル５３０を検索し、対応するメールアドレスを取得する。
【００５５】
次に、Ｓ９０８にて、通知処理部１８０は、Ｓ９０７で取得したメールアドレスへＳ９０３で取得した駐車場緯度および駐車場経度が記載されたメールを送信する。このメールを受信した端末装置２００の表示部２３０には、図１０に示すように「緯度：３５．７６５４３２１  経度：１３９．７６５４３２１の駐車場に駐車中の車両が駐車違反。」などのメッセージが表示される。
【００５６】
なお、図１１に示すようにメールを受信した端末装置２００を携帯する監視員から、駐車場位置まで行けるか否かの入力を、メールを受信した端末装置２００の表示部２３０から受け付けるようにしても良い。また、端末装置２００の表示部２３０から、監視員が駐車場位置まで行けない旨の情報の入力を受け付けた場合、入力を受け付けた情報を駐車情報サーバ１００に送信するようにしてもよい。さらに、この情報を受信した駐車情報サーバ１００は、次に距離が近い端末装置２００へＳ９０８で送信したのと同様のメールを送信するようにしても良い。
【００５７】
ここで、本発明の駐車情報表示方法および駐車情報表示プログラムは、Ｓ８０８が送信ステップに相当し、Ｓ８１１が表示ステップに相当し、Ｓ９０８が通知ステップに相当する。
【００５８】
＜本実施の形態の効果＞
本実施の形態によれば、監視員が携帯する端末装置２００の表示部２３０に、撮像画像を表示するとともに、撮像画像に付加画像を重畳して表示することで、駐車場を巡回する監視員に複数車両の駐車情報を一度に確認させることが可能になる。
【００５９】
さらに、付加画像として、駐車違反がされている駐車場位置付近に駐車違反がされていることを示すメッセージを重畳して表示することで、監視員に駐車違反がされている駐車場を識別させることができるようになる。
【００６０】
さらに、駐車違反がされていない駐車場位置付近については、残時間を表示することで、監視員に車両が駐車場に駐車できる残時間を把握させることができるようになる。
【００６１】
さらに、駐車情報サーバ１００の通知処理部１８０が、駐車違反がされている駐車場位置から端末装置２００の現在位置までの距離が最短の端末装置２００を特定し、特定した端末装置２００へメールを送信することで、監視員に駐車違反がされている駐車場を通知できるようになる。
【００６２】
さらに、メールに、駐車違反がされている駐車場位置を特定するための緯度および経度を記載することで、監視員に駐車違反がされている駐車場の駐車位置を通知できるようになる。
【００６３】
以上、本発明によってなされた発明を実施の形態に基づき具体的に説明したが、本発明は前記実施の形態に限定されるものではなく、その要旨を逸脱しない範囲で種々変更可能であることはいうまでもない。たとえば、端末装置２００がスマートフォンである実施形態もある。また、端末装置２００が、監視員が運転する車両に車載されるナビゲーション装置である実施形態もある。
【産業上の利用可能性】
【００６４】
本発明は、駐車場を巡回する監視員に複数車両の駐車情報を一度に確認させることが可能になるという優れた効果を有し、駐車情報表示システムおよび方法ならびにプログラムにも適用することができる。
【符号の説明】
【００６５】
１００  駐車情報サーバ
１７０  駐車情報処理部
１８０  通知処理部
２００  端末装置
２１０  撮像部
２２０  位置情報取得部
２３０  表示部
２４０  方位センサ
５００  駐車情報データベース
５１０  監視情報テーブル
５２０  駐車場情報テーブル
５３０  監視員情報テーブル
【図１】
2014174580.tif 000003
【図２】
2014174580.tif 000004
【図３】
2014174580.tif 000005
【図４】
2014174580.tif 000006
【図５】
2014174580.tif 000007
【図６】
2014174580.tif 000008
【図７】
2014174580.tif 000009
【図８】
2014174580.tif 000010
【図９】
2014174580.tif 000011
【図１０】
2014174580.tif 000012
【図１１】
2014174580.tif 000013